(57)【要約】【課題】電化製品を使用するユーザの機能的なニーズを開発者側が事前に効率的に把握することができるシステムを提供する。【解決手段】マッチング集計サーバ１００が、予め電化製品情報と機能情報とを記憶し、ユーザ端末１０からのアクセスに応じて、電化製品情報と機能情報とを送信し、ユーザ端末１０が、受信した電化製品情報をリスト表示し、リスト表示した電化製品情報について、ユーザから選択を受け付けて、機能情報をリスト表示し、リスト表示した機能情報について、ユーザから選択を受け付けて、選択を受け付けた電化製品情報と、選択を受け付けた機能情報とを関係づけて選択データとして記憶し、マッチング集計サーバ１００に送信する。マッチング集計サーバ１００は、受信した選択データに基づいて、電化製品情報を集計する。【選択図】図５
2011113263.tif 000002
【特許請求の範囲】
【請求項１】
コンピュータ端末とサーバとが通信可能に接続されたシステムであって、
前記サーバが、
予め電化製品情報と機能情報とを記憶する記憶手段と、
前記コンピュータ端末からのアクセスに応じて、前記電化製品情報と前記機能情報とを送信するサーバ送信手段と、を備え、
前記コンピュータ端末が、
前記サーバにアクセスし、前記電化製品情報と前記機能情報を要求する要求手段と、
前記電化製品情報と前記機能情報とを受信する受信手段と、
受信した前記電化製品情報をリスト表示する電化製品リスト表示手段と、
リスト表示した前記電化製品情報について、ユーザから選択を受け付ける第１選択受付手段と、
前記機能情報をリスト表示する選択機能リスト表示手段と、
リスト表示した前記機能情報について、前記ユーザから選択を受け付ける第２選択受付手段と、
前記第１選択受付手段から選択を受け付けた電化製品情報と、前記第２選択受付手段から選択を受け付けた機能情報とを関係づけて選択データとして記憶する記憶手段と、
前記選択データを、前記サーバに送信する端末送信手段と、を備え、
前記サーバは、受信した前記選択データに基づいて、前記電化製品情報を集計する集計手段を、さらに備えたシステム。
【請求項２】
請求項１に記載のシステムであって、前記ユーザが電化製品情報を予め登録し、前記サーバ送信手段は、一のユーザからの電化製品情報の要求に対して、当該一のユーザが予め登録した電化製品に関する電化製品情報を送信するシステム。
【請求項３】
請求項１に記載のシステムであって、前記サーバに設けられた記憶手段に、前記ユーザが帰属するホームネットワークＩＤと電化製品情報とを関係づけて予め記憶し、前記サーバ送信手段は、一のユーザからの電化製品情報の要求に対して、前記一のユーザが帰属するホームネットワークＩＤに対応した電化製品情報を送信するシステム。
【請求項４】
コンピュータ端末が、
予め電化製品情報と機能情報とを記憶する記憶ステップ、
電化製品情報をリスト表示する電化製品リスト表示ステップ、
リスト表示した前記電化製品情報について、ユーザから選択を受け付ける第１選択受付ステップ、
前記機能情報をリスト表示する選択機能リスト表示ステップ、
リスト表示した前記機能情報について、前記ユーザから選択を受け付ける第２選択受付ステップ、
前記第１選択受付ステップにおいて選択を受け付けた電化製品情報と、前記第２選択受付ステップにおいて選択を受け付けた機能情報とを関係づけて選択データとして記憶する記憶ステップ、
前記選択データを、通信可能に接続されたサーバに送信する送信ステップ、を実行する方法。
【請求項５】
請求項４記載の方法であって、前記ユーザから電化製品情報の登録を受付け、前記電化製品リスト表示ステップでは、予め当該ユーザが登録した電化製品に関する電化製品情報を優先的にリスト表示する方法。
【請求項６】
コンピュータ端末を、
予め電化製品情報と機能情報とを記憶する記憶手段、
電化製品情報をリスト表示する電化製品リスト表示手段、
リスト表示した前記電化製品情報について、ユーザから選択を受け付ける第１選択受付手段、
前記機能情報をリスト表示する選択機能リスト表示手段、
リスト表示した前記機能情報について、前記ユーザから選択を受け付ける第２選択受付手段、
前記第１選択受付手段から選択を受け付けた電化製品情報と、前記第２選択受付手段から選択を受け付けた機能情報とを関係づけて選択データとして記憶する記憶手段、
前記選択データを、通信可能に接続されたサーバに送信する送信手段、
として機能させるためのプログラム。
【発明の詳細な説明】
【技術分野】
【０００１】
本発明は、電化製品を使用するユーザの機能的なニーズを集計するシステム、方法、プログラムに関する。
【背景技術】
【０００２】
近年、電化製品の機能の多様化とともに、一台の電化製品が複数の機能を兼用することで、その電化製品の価値を高め、ユーザのニーズを捉えるといった試みが行われている。この場合には、一台の電化製品を購入するだけで、複数の機能を実現することができるため、ユーザは、個々の機能を有する電化製品を個別に購入する必要がなくなる。
【０００３】
特に、携帯電話の機能を有する携帯情報端末の高機能化に伴い、従来であれば個別の電化製品により実現されていた複数の機能（例えば、時計、ボイスレコーダ、方位磁針、電卓をアプリケーションで提供する）を、たった一台の携帯情報端末で実現することが可能となってきている（非特許文献１参照）。
【０００４】
このような状況において、メーカは、電化製品に対して、どのような機能をユーザが求めているかを知りたいというニーズがある。また、このようなニーズは、メーカのみならず、アプリケーションを開発するユーザからも要望がある。
【０００５】
例えば、非特許文献２のように、ソフトウェア開発環境を一般ユーザに提供して、アプリケーションをユーザに作成させる場合は、アプリケーションを作成するユーザにとっても、どのような機能をユーザが求めているかを知りたいというニーズがある。
【先行技術文献】
【非特許文献】
【０００６】
【非特許文献１】アップルジャパン株式会社、“新しいアプリケーションでｉＰｈｏｎｅを進化させよう”、［ｏｎｌｉｎｅ］、［平成２１年１１月９日検索］、インターネット＜ｈｔｔｐ：／／ｗｗｗ．ａｐｐｌｅ．ｃｏｍ／ｊｐ／ｉｐｈｏｎｅ／ａｐｐｓ−ｆｏｒ−ｉｐｈｏｎｅ／＞
【非特許文献２】アップルジャパン株式会社、“ｉＰｈｏｎｅ  Ｄｅｖｅｌｏｐｅｒ  Ｐｒｏｇｒａｍ”、［ｏｎｌｉｎｅ］、［平成２１年１１月９日検索］、インターネット＜ｈｔｔｐ：／／ｄｅｖｅｌｏｐｅｒ．ａｐｐｌｅ．ｃｏｍ／ｊｐ／ｉｐｈｏｎｅ／ｐｒｏｇｒａｍ／＞
【発明の概要】
【発明が解決しようとする課題】
【０００７】
しかしながら、現状では、メーカやソフトウェアを開発するユーザは、ネットサーフィンや口コミサイトを利用して、ユーザが必要な機能を推測して、アプリケーション等を開発しているにすぎない。したがって、その推測が外れれば、開発した機能は、ユーザに広く受け入れられることがなく、開発費用を回収できない恐れが生じる。したがって、電化製品を使用するユーザのニーズを集計できる方法、システムが提供されることが望まれている。
【０００８】
本発明の目的は、電化製品を使用するユーザの機能的なニーズを開発者側が事前に効率的に把握することができるシステム、方法、プログラムを提供することを目的とする。
【課題を解決するための手段】
【０００９】
本発明では、以下のような解決手段を提供する。
【００１０】
（１） コンピュータ端末とサーバとが通信可能に接続されたシステムであって、前記サーバが、予め電化製品情報と機能情報とを記憶する記憶手段と、前記コンピュータ端末からのアクセスに応じて、前記電化製品情報と前記機能情報とを送信するサーバ送信手段と、を備え、前記コンピュータ端末が、前記サーバにアクセスし、前記電化製品情報と前記機能情報を要求する要求手段と、前記電化製品情報と前記機能情報とを受信する受信手段と、受信した前記電化製品情報をリスト表示する電化製品リスト表示手段と、リスト表示した前記電化製品情報について、ユーザから選択を受け付ける第１選択受付手段と、前記機能情報をリスト表示する選択機能リスト表示手段と、リスト表示した前記機能情報について、前記ユーザから選択を受け付ける第２選択受付手段と、前記第１選択受付手段から選択を受け付けた電化製品情報と、前記第２選択受付手段から選択を受け付けた機能情報とを関係づけて選択データとして記憶する記憶手段と、前記選択データを、前記サーバに送信する端末送信手段と、を備え、前記サーバは、受信した前記選択データに基づいて、前記電化製品情報を集計する集計手段を、さらに備えたシステム。
【００１１】
（１）の発明は、サーバが、予め電化製品情報と機能情報とを記憶し、ユーザ端末からのアクセスに応じて、電化製品情報と機能情報とを送信し、ユーザ端末が、受信した電化製品情報をリスト表示し、リスト表示した電化製品情報について、ユーザから選択を受け付けて、さらに、機能情報をリスト表示し、リスト表示した機能情報について、ユーザから選択を受け付けて、選択を受け付けた電化製品情報と、選択を受け付けた機能情報とを関係づけて選択データとして記憶し、サーバに送信する。サーバは、受信した選択データに基づいて、電化製品情報を集計する。
【００１２】
したがって、（１）の発明によれば、電化製品情報と機能情報を関係づけた選択データを集計することで、電化製品を使用するユーザの機能的なニーズを開発者側が事前に効率的に把握することができるシステムを提供することができる。
【００１３】
（２）  （１）に記載のシステムであって、前記サーバは、前記ユーザが電化製品情報を予め登録し、前記サーバ送信手段は、一のユーザからの電化製品情報の要求に対して、当該一のユーザが予め登録した電化製品に関する電化製品情報を送信するシステム。
【００１４】
（２）の発明によれば、サーバは、ユーザが電化製品情報を予め登録し、サーバ送信手段は、一のユーザからの電化製品情報の要求に対して、当該一のユーザが予め登録した電化製品に関する電化製品情報を送信する。
【００１５】
したがって、（２）の発明によれば、コンピュータ端末に表示される電化製品情報が、予めユーザが登録した電化製品情報に限定されることで、ユーザに馴染みがある電化製品について必要な機能情報を得られるため、アプリ開発者側にとって有効なデータを収集できる可能性が高まる。
【００１６】
（３）  （１）に記載のシステムであって、前記サーバに設けられた記憶手段に、前記ユーザが帰属するホームネットワークＩＤと電化製品情報とを関係づけて予め記憶し、前記サーバ送信手段は、一のユーザからの電化製品情報の要求に対して、前記一のユーザが帰属するホームネットワークＩＤに対応した電化製品情報を送信するシステム。
【００１７】
（３）の発明によれば、（１）に記載のシステムであって、前記ユーザが帰属するホームネットワークＩＤと電化製品情報とを関係づけて予め記憶し、サーバ送信手段は、一のユーザからの電化製品情報の要求に対して、一のユーザが帰属するホームネットワークＩＤに対応した電化製品情報を送信する。
【００１８】
したがって、（３）の発明によれば、コンピュータ端末に表示される電化製品情報が、予めユーザがホームネットワークＩＤごとに登録した電化製品情報に限定されることで、ユーザに馴染みがある電化製品について必要な機能情報を得られるため、アプリ開発者にとって有効なデータを収集できる可能性が高まる。
【００１９】
（４）  コンピュータ端末が、予め電化製品情報と機能情報とを記憶する記憶ステップ、電化製品情報をリスト表示する電化製品リスト表示ステップ、リスト表示した前記電化製品情報について、ユーザから選択を受け付ける第１選択受付ステップ、前記機能情報をリスト表示する選択機能リスト表示ステップ、リスト表示した前記機能情報について、前記ユーザから選択を受け付ける第２選択受付ステップ、前記第１選択受付ステップにおいて選択を受け付けた電化製品情報と、前記第２選択受付手段において選択を受け付けた機能情報とを関係づけて選択データとして記憶する記憶ステップ、前記選択データを、サーバに送信する送信ステップ、を実行する方法。
【００２０】
（４）の発明は、コンピュータ端末が、予め電化製品情報と機能情報とを記憶し、電化製品情報をリスト表示し、リスト表示した電化製品情報について、ユーザから選択を受け付けて、機能情報をリスト表示し、リスト表示した機能情報について、ユーザから選択を受け付けて、第１選択受付ステップにおいて選択を受け付けた電化製品情報と、第２選択受付ステップにおいて選択を受け付けた機能情報とを関係づけて選択データとして記憶し、選択データを、サーバに送信する。
【００２１】
したがって、（４）の発明によれば、電化製品情報と機能情報を関係づけた選択データを集計することで、電化製品を使用するユーザの機能的なニーズを開発者側が事前に効率的に把握することができる集計方法を提供することができる。
【００２２】
（５）  （４）に記載の方法であって、前記ユーザから電化製品情報の登録を受付け、前記電化製品リスト表示ステップでは、予め当該ユーザが登録した電化製品に関する電化製品情報を優先的にリスト表示する方法。
【００２３】
（５）の発明は、ユーザから電化製品情報の登録を受付け、電化製品リスト表示ステップでは、予め当該ユーザが登録した電化製品に関する電化製品情報を優先的にリスト表示する。
【００２４】
したがって、（５）の発明によれば、コンピュータ端末に表示される電化製品情報が、予め登録した電化製品情報に限定されることで、ユーザに馴染みがある電化製品について必要な機能情報を得られるため、アプリ開発者にとって有効なデータを収集できる可能性が高まる。
【００２５】
（６）  コンピュータ端末を、予め電化製品情報と機能情報とを記憶する記憶手段、
電化製品情報をリスト表示する電化製品リスト表示手段、リスト表示した前記電化製品情報について、ユーザから選択を受け付ける第１選択受付手段、前記機能情報をリスト表示する選択機能リスト表示手段、リスト表示した前記機能情報について、前記ユーザから選択を受け付ける第２選択受付手段、前記第１選択受付手段から選択を受け付けた電化製品情報と、前記第２選択受付手段から選択を受け付けた機能情報とを関係づけて選択データとして記憶する記憶手段、前記選択データを、通信可能に接続されたサーバに送信する送信手段、として機能させるためのプログラム。
【００２６】
したがって、（６）の発明によれば、当該プログラムを実行して、電化製品情報と機能情報を関係づけた選択データを集計することで、電化製品を使用するユーザの機能的なニーズを開発者側が事前に効率的に把握することができる。
【発明の効果】
【００２７】
本発明によれば、電化製品を使用するユーザの機能的なニーズを開発者側が事前に効率的に把握することができる集計方法、プログラム、システムを提供することができる。
【図面の簡単な説明】
【００２８】
【図１】図１は、ネットワークシステム１の全体構成及びユーザ端末１０の機能ブロック図である。
【図２】図２は、ユーザ端末とマッチング集計サーバが実行する処理のフローチャート図である。
【図３】図３は、電化製品情報テーブルの一例を示す図である。
【図４】図４は、機能情報テーブルの一例を示す図である。
【図５】図５は、ユーザから選択を受付ける際の画面イメージの一例を示す図である。
【図６】図６は、集計テーブルの一例を示す図である。
【図７】図７は、集計結果から作成した円グラフの一例を示す図である。
【図８】図８は、ホームＮＷテーブルの一例を示す図である。
【発明を実施するための形態】
【００２９】
以下、本発明を実施するための最良の形態について図を参照しながら説明する。なお、これはあくまでも一例であって、本発明の技術的範囲はこれに限られるものではない。
【００３０】
図１は、ネットワークシステム１の全体構成及びユーザ端末１０の機能ブロック図である。
【００３１】
ネットワークシステム１は、インターネット等の公衆回線網３を含むネットワークシステムであって、ユーザ端末１０と、マッチング集計サーバ１００と、マッチング集計データベース１５０と、アプリ開発側端末２００と、により構成される。ユーザ端末１０は、マッチング集計サーバ１００とインターネット等の公衆回線網３を介して通信可能に接続される。アプリ開発側端末２００は、マッチング集計サーバ１００とインターネット等の公衆回線網３を介して通信可能に接続される。
【００３２】
ユーザ端末１０は、要求手段１１、電化製品リスト表示手段１２、第１選択受付手段１３、データ送受信手段１４、選択機能リスト表示手段１５、第２選択受付手段１６、データ記憶手段１７、を備える。ユーザ端末１０は、制御部（ＣＰＵ（Ｃｅｎｔｒａｌ  Ｐｒｏｃｅｓｓｉｎｇ  Ｕｎｉｔ））、記憶部（メモリ、ハードディスク）、通信部（無線、通信Ｉ／Ｆ（インターフェース））、入力部（キーボード、タッチパネル）、出力部（ディスプレイ）を備えた情報機器であり、上記手段を備える専用の情報機器でもよいし、コンピュータ、携帯電話、テレビ等の他の機能を有する情報機器、家電製品であってもよい。上記の各手段は、これを実現するプログラムが記憶部のメモリに読み込まれて、制御部により実行され実現される。
【００３３】
ユーザ端末１０は、マッチング集計サーバ１００にアクセスして、データを取得し、表示部に表示する機能と、表示部に表示されたデータに対して、ユーザからの入力を受け付ける機能を有する。すなわち、一例として、ユーザ端末１０は、Ｗｅｂブラウザを備え、マッチング集計サーバ１００等のＷｅｂサーバにアクセスし、Ｗｅｂページのデータを受信して、表示部に受信したＷｅｂページを表示する。そして、ユーザからの入力を受付けて、受け付けたデータを、マッチング集計サーバ１００に送信する。
【００３４】
要求手段１１は、マッチング集計サーバ１００にアクセスして、電化製品情報と機能情報を要求する機能を有し、制御部と通信部により実現される。ソフトウェアとしては、Ｗｅｂブラウザにより機能が実現されてよい。
【００３５】
電化製品リスト表示手段１２は、マッチング集計サーバ１００から受信した電化製品情報をリスト表示する機能を有し、表示部と制御部により実現される。
【００３６】
第１選択受付手段１３は、電化製品リスト表示手段１２が表示した電化製品情報リストに対して、ユーザから電化製品情報の選択を受け付ける機能を有し、入力部と制御部から実現される。
【００３７】
データ送受信手段１４は、マッチング集計サーバ１００と通信を行うことで、データの送受信を行う機能であり、通信部から実現される。ソフトウェアとしては、Ｗｅｂブラウザの一部の機能により実現されてよい。
【００３８】
選択機能リスト表示手段１５は、マッチング集計サーバ１００から受信した機能情報をリスト表示する機能を有し、表示部と制御部により実現される。
【００３９】
第２選択受付手段１６は、選択機能リスト表示手段１５が表示した機能情報リストに対して、ユーザから機能情報の選択を受け付ける機能を有し、入力部と制御部から実現される。
【００４０】
データ記憶手段１７は、マッチング集計サーバ１００から受信した電化製品情報、機能情報を記憶する機能を有し、記憶部と制御部から実現される。
【００４１】
マッチング集計サーバ１００は、ユーザ端末１０のアクセスを受け付け、電化製品情報、機能情報等のデータを返信するＷｅｂサーバである。マッチング集計サーバ１００は、アクセス受付手段１０１、データ送受信手段１０２、集計手段１０３を備える。マッチング集計サーバ１００は、制御部（ＣＰＵ（Ｃｅｎｔｒａｌ  Ｐｒｏｃｅｓｓｉｎｇ  Ｕｎｉｔ））、記憶部（メモリ、ハードディスク）、通信部（無線、通信Ｉ／Ｆ（インターフェース））を備えたコンピュータであり、上記手段を備える専用の情報機器でもよいし、他のサービスや機能を併用して、端末等に提供するサーバであってよい。上記の各手段は、これを実現するプログラムが記憶部のメモリに読み込まれて、制御部により実行され実現される。
【００４２】
アクセス受付手段１０１は、ユーザ端末１０の要求手段１１からのアクセスを受け付ける機能を有し、制御部及び通信部から実現される。ソフトウェアとしては、ユーザ端末１０のＷｅｂブラウザからのアクセスに対して、Ｗｅｂサーバとして機能するためにアクセス要求を受信する機能を有するプログラムであってよい。
【００４３】
データ送受信手段１０２は、ユーザ端末１０及び、アプリ開発側端末２００からのデータ（電化製品情報、機能情報、選択データ）の送受信を行う機能を有し、制御部及び通信部から実現される。
【００４４】
集計手段１０３は、ユーザ端末１０から受信した選択データを集計する機能を有し、制御部から実現される。
【００４５】
マッチング集計データベース１５０は、マッチング集計サーバ１００の要求に応じて、電化製品情報、機能情報、選択データを記憶し、検索するデータベースであって、さらに、これらのデータとユーザＩＤ、ホームネットワークＩＤとを関係づけて記憶し、検索可能としたデータベースである。
【００４６】
アプリ開発側端末２００は、公衆回線網３を介してマッチング集計サーバ１００にメーカやアプリ開発者がアクセスし、電化製品情報、機能情報を送信するための端末であって、電化製品情報・機能情報入力受付手段２０１、データ送受信手段２０２を備える。アプリ開発側端末２００は、ユーザ端末１０と同様のハードウェア構成であってよい。アプリ開発側端末２００から、電化製品情報、機能情報が入力されて、マッチング集計サーバ１００を介して、マッチング集計データベース１５０に記憶される。
【００４７】
電化製品情報・機能情報入力受付手段２０１は、メーカ等のアプリ開発の担当者が、電化製品情報や機能情報を入力することを受け付ける機能を有し、制御部及び入力部により実現される。
【００４８】
アプリ開発側端末２００のデータ送受信手段２０２は、入力された電化製品情報、機能情報をマッチング集計サーバ１００に送信する機能を有し、制御部及び通信部により実現される。
【００４９】
電化製品情報とは、電化製品名とその電化製品名に対応するアイコンから構成され（図３参照）、アプリ開発者がユーザの意見を集計したいと考える電化製品に関する情報であって、アプリケーションを組み込むことが可能な電化製品に関する情報である。対象となる電化製品とは、例えば、テレビ、電話機、コンピュータに加えて、携帯電話、携帯情報端末、携帯型音楽プレーヤ、テレビ、オーディオコンポ、コンテンツ再生・録画プレーヤ、プリンタ、電話機、ＦＡＸ機、コピー機、スキャナ機、ＭＦＰ（多機能周辺装置、多機能プリンタ）等の情報家電のみならず、冷蔵庫、洗濯機、食器洗浄乾燥機、扇風機、エアコン、電気ストーブ、炊飯器、電子レンジ等の白物家電や、電気照明、サーバ、交換機、ルータ、体重計、トイレ等も含む。
【００５０】
機能情報とは、機能情報名とその機能情報名に対応するアイコンから構成され（図４参照）、アプリ開発者が今後、電化製品に組み込もうと考える機能、アプリケーションに関する情報である。ここで、機能情報名は、「方位磁針の機能」のように、機能名であってもよいが、機器の普通名称が機能を示すような場合（例えば、「ＴＶリモコン」）は、機能情報として、機器の普通名称を含んでもよい（この場合、「ＴＶリモコン」という機器の普通名称が、機能情報名に含まれるということ）。
【００５１】
［フローチャート］
図２を参照して、ユーザ端末１０とマッチング集計サーバ１００が実行する処理について、時系列で説明する。
【００５２】
本処理の前提として、図３、図４に示すように、アプリ開発側端末２００から、電化製品情報（電化製品名とその電化製品名に対応するアイコンから構成される）及び、機能情報（機能情報名とその機能情報名に対応するアイコンから構成される）とが、送信され、マッチング集計データベース１５０に、これらのデータが記憶されているとする。マッチング集計データベース１５０には、図３に示すように電化製品情報が、電化製品情報テーブルとして記憶され、かつ、図４に示すように機能情報が、機能情報テーブルとして記憶されている。
【００５３】
ユーザ端末１０は、マッチング集計サーバ１００へアクセスを行い、要求手段１１により電化製品情報、機能情報を要求する。例えば、ユーザ端末１０がＷｅｂブラウザを起動し、対応するＵＲＬ（Ｕｎｉｆｏｒｍ  Ｒｅｓｏｒｃｅ  Ｌｏｃａｔｏｒ）を入力することで、マッチング集計サーバ１００にアクセスし、電化製品情報、機能情報を要求する（ステップＳ０１）。
【００５４】
マッチング集計サーバ１００のアクセス受付手段１０１は、ユーザ端末１０からのアクセスを受け付ける（ステップＳ０２）。これに応答して、データ送受信手段１０２が、電化製品情報（電化製品名及びそのアイコン）、機能情報（機能情報名及びそのアイコン）を送信する（ステップＳ０３）。
【００５５】
ユーザ端末１０は、受信した電化製品情報を、リスト表示し（ステップＳ０４）、かつ、受信した機能情報を、リスト表示する（ステップＳ０５）。
【００５６】
図５は、ユーザ端末１０に、マッチング集計サーバ１００から受信した電化製品情報と機能情報とをリスト表示した画面イメージ図である。電化製品情報として、電化製品名：携帯電話機Ｉ−０１，ルータＲＡ−０１、家庭用電話機ＴＥ−０１と、それぞれに対応したアイコンが電化製品名の近傍に表示されることで、電化製品情報リスト３００として左側に縦に一覧で表示されている。さらに、機能情報として、機能情報名：方位磁針の機能、放送コンテンツの蓄積機能、ＴＶリモコンと、それぞれに対応したアイコンが機能情報名の近傍に表示されることで、機能情報リスト４００として右側に縦に一覧で表示されている。
【００５７】
次に、ユーザ端末１０の第１選択受付手段１３は、電化製品情報の選択受付（ステップＳ０６）を行う。図５に示すように、電化製品情報を選択する電化製品情報選択枠３１０を、ユーザが操作することで、一の電化製品情報を選択する。図５では、携帯電話機Ｉ−０１を選択しており、下部の決定ウィンドウ５００に、携帯電話機Ｉ−０１が、選択された電化製品情報として表示される。
【００５８】
次に、ユーザ端末１０の第２選択受付手段１６は、機能情報の選択受付（ステップＳ０７）を行う。図５に示すように、機能情報を選択する機能情報選択枠４１０を、ユーザが操作することで、一の電化製品情報を選択する。図５では、ＴＶリモコンを選択しており、下部の決定ウィンドウ５００に、ＴＶリモコンが、選択された電化製品情報として表示される。
【００５９】
ユーザが選択を終了して、決定ウィンドウ５００の決定ボタン５１０を押した場合は、選択された電化製品情報と機能情報とを関係づけて選択データとして記憶する（ステップＳ０８）。選択データとは、電化製品情報と機能情報とが関係づけられたデータである。
【００６０】
次に、ユーザ端末１０は、選択データをマッチング集計サーバ１００へ送信する（ステップＳ０９）。送信する際には、電化製品情報、機能情報の各アイコンは送信しなくてよく、この場合は、電化製品名、機能情報名のみ送信すればよい。
【００６１】
選択データを受信したマッチング集計サーバ１００は、選択データを受信し（ステップＳ１０）、集計処理を行う（ステップＳ１１）。
【００６２】
図６は、マッチング集計サーバ１００が受信した選択データを集計して、集計テーブルとした一例である。ユーザ端末１０から受信した選択データから、電化製品名を抽出して、対応する機能情報のカウントを行う。上述の例では、携帯電話Ｉ−０１に対して、ＴＶリモコンの機能を選択したため、このカウントを加える。
【００６３】
この集計テーブルは、アプリ開発側端末２００からの要求に応じて、Ｗｅｂページの一部として、メーカ等のアプリ開発者が視認できるように、アプリ開発側端末２００に送信してもよいし、図７に示すように、集計結果を割合でしめした円グラフ化した結果を送信してもよい。これを視認したアプリ開発者は、電化製品に対してユーザが求めている機能を統計的に把握することができる。
【００６４】
上述の説明では、ユーザ端末１０にリスト表示される電化製品情報は、アプリ開発側端末２００が送信した電化製品情報に基づいて表示されていたが、ユーザにとっては、馴染みのない（あまりよく知らない）電化製品が表示される場合もあり、機能情報と関係づける場合に、その電化製品に必要な機能かイメージしにくい場合がある。
【００６５】
そこで、ユーザ端末１０にリスト表示される電化製品情報として、ユーザが所有する電化製品を表示し、この所有する電化製品に関する機能情報について、ユーザから選択を受け付ける場合について、以下で説明する。
【００６６】
マッチング集計サーバ１００にアクセスするユーザごとに、ユーザＩＤを設け、ユーザＩＤごとに、このユーザが所有する電化製品情報をマッチング集計サーバ１００に予め登録しておく。すなわち、ユーザ端末１０から、ユーザＩＤとユーザが登録する電化製品情報を送信し、ユーザＩＤと関係づけて記憶しておく。そして、マッチング集計サーバ１００は、ユーザからのアクセスがあった場合に、ユーザＩＤの認証を実行し、電化製品情報を記憶したユーザＩＤであるか否かを判断し、記憶したユーザＩＤである場合には、このユーザＩＤに関係づけて記憶された電化製品情報を、ユーザ端末１０にリスト表示するために送信する。
【００６７】
また、他の実施例では、図８のホームネットワークテーブルに示すように、マッチング集計サーバ１００にアクセスするユーザごとに、ユーザが帰属するホームネットワークＩＤ（ホームＮＷＩＤ）を設ける。そして、ホームＮＷＩＤごとに、電化製品情報をマッチング集計サーバ１００に予め登録しておく。すなわち、ユーザ端末１０から、ホームＮＷＩＤとユーザが申告する電化製品情報をユーザが送信し、ホームＮＷＩＤと関係づけて記憶しておく。そして、ユーザ端末１０からのアクセスがあった場合に、ホームＮＷＩＤの認証を実行し、電化製品情報を記憶したホームＮＷＩＤであるか否かを判断し、電化製品情報を記憶したホームＮＷＩＤである場合には、このホームＮＷＩＤに関係づけて記憶された電化製品情報を、ユーザ端末１０にリスト表示するために送信する。
【００６８】
例えば、図８の例では、予めホームＮＷＩＤが、「ＨＮＷ００１」のユーザが「携帯電話Ｉ−０１」、「ルータＲＡ−０１」、「家庭用電話機ＴＥ−０１」を電化製品情報としてマッチング集計サーバ１００に登録しておく。そして、ホームＮＷＩＤが、「ＨＮＷ００１」のユーザがアクセスした場合は、予め記憶された電化製品情報のうち「携帯電話Ｉ−０１」、「ルータＲＡ−０１」、「家庭用電話機ＴＥ−０１」をリスト表示する。
【００６９】
リスト表示の表示態様は、ユーザＩＤ又はホームＮＷＩＤに関係づけられて予め記憶された電化製品情報のみを表示してもよいし、予め記憶された電化製品情報を優先的に表示（例えば、リストの最初の画面に「予め記憶された電化製品情報」を表示し、後の画面に、その他の電化製品情報を表示する）してもよい。
【００７０】
このように、ユーザ端末１０に表示される電化製品情報が限定されることで、ユーザに馴染みがある電化製品について必要な機能情報を得られるため、アプリ開発者にとって有効なデータを収集できる可能性が高まる。
【００７１】
同様に、ユーザ端末１０に、ユーザが予め電化製品情報を登録して（ユーザが所有している電化製品を管理するため等）、電化製品情報のリストを記憶しておき、このリストに基づいて、マッチング集計サーバ１００にアクセスして、リスト上に存在する電化製品情報を、マッチング集計サーバ１００から受信し、受信した電化製品情報を優先的にリスト表示してもよい。この場合であっても、ユーザ端末１０に表示される電化製品情報が、予めユーザ端末１０に記憶された電化製品情報に限定されることで、ユーザに馴染みがある電化製品について必要な機能情報を得られるため、アプリ開発者にとって有効なデータを収集できる可能性が高まる。
【００７２】
上述した手段、機能は、コンピュータ（ＣＰＵ，情報処理装置，各種端末を含む）が、所定のアプリケーションプログラムを読み込んで、実行することによって実現される。アプリケーションプログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からアプリケーションプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００７３】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００７４】
１  ネットワークシステム
３  公衆回線網
１０  ユーザ端末
１００  マッチング集計サーバ
１５０  マッチング集計データベース
２００  アプリ開発側端末
【図１】
2011113263.tif 000003
【図２】
2011113263.tif 000004
【図３】
2011113263.tif 000005
【図４】
2011113263.tif 000006
【図５】
2011113263.tif 000007
【図６】
2011113263.tif 000008
【図７】
2011113263.tif 000009
【図８】
2011113263.tif 000010